(57)【要約】【課題】使用者の胸や腹部のような複数の支持点を用いて移動通信端末機を一定の角度でたてた状態で長時間保持することができ、使用者が手を使うことがなく画像通話や映像視聴を行うことができる移動通信端末機用支持装置を提供する。【解決手段】支持装置は端末機の主体に固定された固定体と、各一端が固定体の一点に固定されると共に他端が複数の支持点に置かれた複数の軸部を有する支持体とを含む。支持体は長さが可変である。このような構成によって、使用者の胸や腹部のような複数の支持点を用いて移動通信端末機を長時間一定の角度に保持することができるので、手を用いることなく画像通話や映像視聴が長時間可能となる。【選択図】図３【特許請求の範囲】
【請求項１】
端末機の一部に固定された固定体と、
一端が前記固定体に固定されると共に、他端が複数の支持点に置かれた複数の軸部を有し、長さが可変である支持体とを含む移動通信端末機用支持装置。
【請求項２】
前記固定体は板状であり、
前記固定体には、前記固定体の縁部から前記支持体の反対側に突出すると共に前記端末機の固定体と本体が互いに安定的に結合されるように前記端末機の本体の側部に接する壁部が形成されている請求項１に記載の移動通信端末機用支持装置。
【請求項３】
前記壁部には、前記端末機の本体の側部に形成された溝に挿入される固定突起が形成されている請求項２に記載の移動通信端末機用支持装置。
【請求項４】
前記壁部の端部の全部又は一部には、前記端末機の本体の上縁にかけて、結合状態を維持する結合突起が形成されている請求項２に記載の移動通信端末機用支持装置。
【請求項５】
前記固定体の下側に形成された壁部には、前記端末機の本体に形成された充電用又はデータ入出力用ポートに挿入される固定突起が形成されている請求項２に記載の移動通信端末機用支持装置。
【請求項６】
前記支持体は、前記軸部の延長を調節することによって長さが可変である請求項１乃至５のいずれか１項に記載の移動通信端末機用支持装置。
【請求項７】
前記支持体の軸部の他端は、所定の角度で互いに広がる請求項６に記載の移動通信端末機用支持装置。
【請求項８】
前記支持体の軸部を伸ばすとき、前記支持体は長さが２〜５０ｃｍである請求項６に記載の移動通信端末機用支持装置。
【請求項９】
前記支持体の他端には、支持力を向上させて滑りを防止するために摩擦力に優れた材料から成る接地パッドを設置する請求項６に記載の移動通信端末機用支持装置。
【請求項１０】
前記支持体の一端は、前記固定体の一点に固定され、他端は前記支持体が「Ｖ」形状になるように互いに広がる請求項６に記載の移動通信端末機用支持装置。
【請求項１１】
前記支持体の軸部の一端は、蝶番部材を用いて前記固定体に固定されている請求項６に記載の移動通信端末機用支持装置。
【請求項１２】
前記蝶番部材には孔が形成され、前記固定体には前記孔に対応する位置に突起が形成されている請求項１１に記載の移動通信端末機用支持装置。
【請求項１３】
前記固定体には、前記固定体の中央から縁部に長くレール溝が形成され、
前記支持体の軸部の各端には、前記レール溝に摺動自在に結合された移動ブロックが形成されている請求項６に記載の移動通信端末機用支持装置。
【請求項１４】
前記レール溝の一端には、前記移動ブロックが９０°回転することができるように回転溝が形成されている請求項１３に記載の移動通信端末機用支持装置。
【請求項１５】
前記固定体には、一方の縁部から他方の縁部まで長くレール溝が形成され、
前記支持体の軸部の各端部には、前記レール溝に摺動自在に結合された移動ブロックが形成されている請求項６に記載の移動通信端末機用支持装置。
【請求項１６】
前記レール溝の両端には、前記移動ブロックが９０°回転することができるように回転溝が形成されている請求項１５に記載の移動通信端末機用支持装置。
【請求項１７】
端末機の本体に固定された固定体と、
前記固定体に固定された軸部、及び前記軸部から伸びると共に蝶番ピンによって回転可能な２つの脚部材を含む支持体を含み、
前記支持体は長さが可変である移動通信端末機用支持装置。
【請求項１８】
前記脚部材は少なくとも２段以上に延長自在である請求項１７に記載の移動通信端末機用支持装置。
【請求項１９】
端末機の本体に固定された固定体と、
一端が前記固定体を介して前記端末機の本体にそれぞれ固定された一対の支持体を含み、
前記支持体は長さが可変である移動通信端末機用支持装置。
【請求項２０】
前記支持体の各端部は、前記固定体に回転自在に固定されている請求項１９に記載の移動通信端末機用支持装置。
【請求項２１】
前記支持体の各々は多段折畳み式ロッドを含み、
前記支持体の各々の隣接するロッドは互いに蝶番結合されている請求項１に記載の移動通信端末機用支持装置。
【請求項２２】
前記固定体は、磁力を用いて前記端末機の本体に取り付けられる請求項１に記載の移動通信端末機用支持装置。
【請求項２３】
前記固定体は、両面接着テープを用いて前記端末機の本体に取り付けられる請求項１に記載の移動通信端末機用支持装置。
【請求項２４】
通信モジュール、表示部、複数の入力ボタンを有する本体と、
両端が前記本体の部分に固定されたネックレスと、
前記本体に設けられる請求項１乃至２３のいずれか１項に記載の支持装置を含む移動通信端末機。
【請求項２５】
前記ネックレスは、使用者が前記ネックレスを首にかけたとき前記本体が使用者の胸や腹部に位置するように３０〜１５０ｃｍの長さを有する請求項２４に記載の移動通信端末機。
【請求項２６】
前記ネックレスの両端は前記本体の中間部又は上部に固定されている請求項２４に記載の移動通信端末機。
【請求項２７】
前記ネックレスの両端は前記本体の上部中央に一緒に固定されている請求項２４に記載の移動通信端末機。
【請求項２８】
前記ネックレスの両端は前記本体の両側にそれぞれ固定されている請求項２４に記載の移動通信端末機。
【発明の詳細な説明】
【技術分野】
【０００１】
本発明は移動通信端末機用支持装置に係り、より詳しくは、移動中又は停止状態で手を使用することなく通話や映像視聴が可能なように移動通信端末機の揺れを防止しつつ移動通信端末機を支持する移動通信端末機用支持装置に関する。
【背景技術】
【０００２】
一般に、携帯情報端末（ＰＤＡ）、携帯電話、ＰＣＳ（パーソナル通信サービス方式）ホン、ＧＳＭ（静止気象衛星方式）ホン、ＩＭＴ−２０００ホンは、ＤＭＢ（マルチメディア放送方式）ホンなどの移動通信端末機（携帯用通信機器）の広く普及し、大部分の人がこれら移動通信端末機を使用している。
【０００３】
最近は、カメラホンの普及及び無線インターネット、ＤＭＢ放送などの実施で移動通信端末機を用いた画像通信やＴＶや映画などの映像視聴を容易に行うものが可能である。
【０００４】
しかしながら、長時間（例えば、３分以上）移動通信端末機を手に持った状態で画像通話や映像視聴を行うときは、移動通信端末機を持っている手の震えや動きによって、画像通話時に画面上の送信者の画像が揺れたり、画像視聴時に画面上の画像を正確に認識できない場合がある。
【０００５】
つまり、映像サービスが可能な移動通信端末機においては、使用者は、端末機が使用者の目から一定の距離を維持させた状態で通話や画像視聴を行うようになるので、使用者が移動通信端末機を手で長時間持っていると、使用者は腕がかなり疲労する。音声通話を行う場合は、使用者が移動通信端末機を手に持って耳に接触した状態で通話を行うので、使用者の耳が支持体役割を果たして、長時間通話してもほとんど疲労しないが、画像通話の場合には手を空中で伸ばしたり曲げたりするので疲労がかなり増加する。
【０００６】
さらには、移動通信端末機を持った手が空中に位置するので、移動時には使用者の手の揺れがさらに深刻化して、画像通話の相手方の顔を正しく見ることができず、実際画像通話はほとんど不可能である。
【０００７】
加えて、従来の移動通信端末機においては、使用者は、片手で移動通信端末機を持っていなければならないので、画像通話を行いながら他の作業を行うことができない。
【０００８】
このような問題点を改善するために、特許文献１には、移動通信端末機に保持構造を取り付ける技術が開示されている。
【０００９】
しかしながら、従来の保持構造は移動通信端末機を固定場所に取り付けるのに使用され、端末機が固定場所に取り付けられた状態で通話又は映像視聴を行いにくい地域では使用できないという問題がある。
【特許文献１】韓国公開特許第１０−２００４−００１０９７１号
【発明の開示】
【発明が解決しようとする課題】
【００１０】
しかしながら、従来の保持構造は移動通信端末機を固定場所に取り付けるのに使用され、端末機が固定場所に取り付けられた状態で通話又は映像視聴を行いにくい地域では使用できないという問題がある。
【００１１】
本発明の目的は、使用者の胸や腹部のような複数の支持点を用いて移動通信端末機を一定の角度でたてた状態で長時間保持することができ、使用者が手を使うことがなく画像通話や映像視聴を行うことができる移動通信端末機用支持装置を提供することにある。
【課題を解決するための手段】
【００１２】
本発明の態様によれば、端末機の本体に固定された固定体と、一端が固定体に固定されると共に他端が複数の支持点に置かれた複数の軸部を有する支持体とを含み、支持体は長さが可変である移動通信端末機用支持装置が提供される。
【００１３】
支持体は、軸部の延長を調節することによって長さが可変である。
【００１４】
支持体の軸部の他端は所定の角度で互いに広がっているので、端末機を安定して支持することができる。
【発明の効果】
【００１５】
本発明の移動通信端末機用支持装置によれば、使用者が通話（音声通話若しくは画像通話）又は映像視聴を行いながら双方の指を自由に使うことができるので、種々の作業を同時に行うことができる。
【発明を実施するための最良の形態】
【００１６】
本発明の上述及び他の特徴及び効果は、例示的実施の形態を添付図面を参照して詳細に記載することによってさらに明らかとなろう。
【００１７】
以下、本発明による移動通信端末機用支持装置の望ましい実施例を図面を参照して詳細に説明する。
【００１８】
まず、本発明の第１の実施の形態に係る移動通信端末機用支持装置は、図１及び図２に示すように、端末機１の一部に固定された固定体１０と、二つの軸部を有する支持体２０とを含む。上記軸部の一端は固定体１０に固定され、他端は複数の支持点を有するように形成される。支持体２０は長さが可変である。
【００１９】
端末機１は、内部に通信モジュール及び制御部を含み、複数の入力ボタン３が設けられた本体２と、一方の表面には表示部５が形成され、本体２に回転又は摺動自在に結合された蓋４と、本体２又は蓋４の一部分に両端がそれぞれ固定されたネックレス８とで構成されている。
【００２０】
端末機１の具体的な構成は一般に使用する携帯情報端末（ＰＤＡ）、携帯電話、ＰＣＳ（パーソナル通信サービス方式）ホン、ＧＳＭ（静止気象衛星方式）ホン、ＩＭＴ−２０００ホン、ＤＭＢ（マルチメディア放送方式）ホンなどの移動通信端末機（携帯用通信機器）の構成と同様であり、これらの詳細な説明は省略する。
【００２１】
ネックレス８は、図３に示すように、使用者がネックレスを首にかけたときに、本体２を使用者の胸又は腹部に位置させる長さを有するのが望ましい。その理由は、支持体２０が伸びたときに、使用者の目から表示部５までの距離が目が容易に疲れない適切な視聴距離（ほぼ３０〜５０ｃｍ）となるからである。
【００２２】
ネックレス８の長さは、ほぼ３０〜１５０ｃｍであるのが望ましい。
【００２３】
ネックレス８の長さが３０ｃｍ未満である場合には、子供がネックレス８を首にかけたときに表示部３と子供の目の間の距離が近すぎて目が疲れる。
【００２４】
ネックレス８の長さが１５０ｃｍを超える場合には、首が太い大人が着用したときに表示部５と目の間の距離が遠すぎて、使用者は画面上の画像を容易に認識できなくて目が疲れる。
【００２５】
ネックレス８の両端部は、図２に示すように、本体２の上端部中央に一緒に固定される。
【００２６】
加えて、ネックレス８の両端部は、図９及び図１０に示すように、本体２の背面上端部中央に一緒に固定されてもよい。
【００２７】
さらに、ネックレス８の両端部は、図１１に示すように、本体２の両側面にそれぞれ固定されてもよい。
【００２８】
ネックレス８の両端部は、使用者がネックレスを首にかけるときにネックレスが自由に変形可能となるように本体２に回転自在に固定される。
【００２９】
ネックレス８の両端部は、本体２及び蓋４の重量を効果的に支えることができるように、本体２の中間部又は上部に固定されるのが望ましい。加えて、本体２及び蓋４が使用中に偏心重量によって使用者側又は反対側に回転するのを防止するのが望ましい。
【００３０】
固定体１０は、図１に示すように、板状である。
【００３１】
固定体１０には壁部１２が形成される。壁部１２は、固定体１０の縁部からから支持体２０の反対側で突出しており、安定した状態で結合されるように端末機１の本体２の側部に接している。
【００３２】
壁部１２には、端末機１の本体２の側部に形成される溝７に挿入される固定突起１４が突出している。
【００３３】
端末機１の本体２の側部には、端末機１がホルダに支持されるときに端末機１とホルダが互いに結合されるように、充電用ホルダ又はハンズフリー用ホルダに突起に対応して溝７が形成される。
【００３４】
したがって、固定突起１４は一般に使用されるホルダに形成される突起及び溝７と同じ形状を有する。
【００３５】
固定突起１４の数及び形状は、端末機１の本体２の側部に形成される溝７のものと同じである。加えて、固定突起１４の数は、必要な場合、端末機１の本体２の側部に形成された溝７の数より小さくてもよい。
【００３６】
さらに、壁部１２は、固定体１０の縁部全体ではなく、複数部分で分けて形成されてもよく、また、縁部の一部に連続的に形成されてもよい。
【００３７】
壁部１２は、全体的に同一な高さであってもよく、部分的に互いに異なる高さであってもよい。
【００３８】
壁部１２の全部又は一部には、固定体１０と主体２の結合状態が維持されるようにわずかに端末機１の本体２の上縁にかけて、結合突起１５が形成されてもよい。
【００３９】
上述のように結合突起１５が形成されるときは、固定突起１４は形成されなくてもよい。
【００４０】
代案として、固定突起１４と結合突起１５の双方が形成されてもよい。
【００４１】
加えて、壁１２は、図４に示すように、端末機１の本体２の下側において固定体１０上に形成されてもよく、壁部１２には、端末機１の本体２に形成された充電用又はデータ入出力用ポート６に挿入される固定突起１６が形成されてもよい。
【００４２】
固定突起１６が形成される場合には、結合突起１５及び／又は固定突起１４は形成されなくてもよい。
【００４３】
また、固定突起１６、固定突起１４、及び結合突起１５は、必要に応じて多様に組み合わせてもよい。
【００４４】
支持体２０は、図２及び図３に示すように、複数の多段延長軸部を含む。支持体２０の長さは軸部の延長を調節することによって可変である。
【００４５】
支持体２０の延長構造は、アンテナ又は指示棒に使用するものと類似しており、それらの詳細な説明は省略する。
【００４６】
支持体２０は、さらに、支持体の軸部が完全に延長したとき支持体２０の元の状態に戻らないように中に係合部を有する。
【００４７】
加えて、支持体２０の軸部は、時計方向又は時計反対方向に回転可能にしてもよく、支持体２０の軸部の延長後に互いに固定、分離されるようにしてもよい。
【００４８】
支持体２０は、アンテナ機能を発揮するように端末機１の本体２に内蔵された通信モジュールと接続されてもよい。
【００４９】
支持体２０の軸部が、図２の二点鎖線で示すように延長する場合、支持体２０の長さは、約２〜５０ｃｍである。
【００５０】
支持体２０の長さが２ｃｍ未満のときは、固定体１０は使用者の服に接触し、固定体１０を安定的に支持することができない。
【００５１】
支持体２０の長さが５０ｃｍを超えるときは、表示部５と目の間の距離が適切な視聴距離より大きくなる。加えて、支持体２０が揺れ易くなって固定台１０を安定的に支持することができない。
【００５２】
ネックレス８の長さと支持体２０の全体長さは適切な視聴距離を勘案して設定するのが望ましい。
【００５３】
支持体２０の軸部の他端には、支持力を向上させて滑りを防止するために接地パッド２２を設置するものも可能である。
【００５４】
接地パッド２２は、摩擦力に優れた材料から成り、例えば、ゴム、軟質合成樹脂、シリコンなどの材料から成ってもよい。代案として、接地パッド２２は、布又はパルプから成ってもよい。
【００５５】
接地パッド２２は、使用者が薄い服を着た場合にも痛みを感じないように弾性材料で作られるのが望ましく、さらに、曲面で形成することが望ましい。
【００５６】
支持体２０の軸部の一端は、図２に示すように、固定体１０の一点に固定され、他端は所定の角度で互いに離れている。換言すれば、支持体２０の軸部は「Ｖ」形状となっている。
【００５７】
固定体１０には、支持体２０の軸部の一端を固定する固定部１８が形成されている。
【００５８】
加えて、固定体１０には、支持体２０を安定的に保持し且つ揺れを防止するように、支持体２０の軸部に結合された補助固定部１９がさらに形成されてもよい。
【００５９】
さらに、本発明の第２の実施の形態に係る移動通信端末機用支持装置では、図５に示すように、支持体２０は、固定体１０に回転自在に固定される。
【００６０】
例えば、支持体２０は、蝶番部材３０を用いて固定体１０に回転自在に固定されている。
【００６１】
加えて、蝶番部材３０が折り畳まれ又は広げられた状態に保持されるように蝶番部材３０には孔３４が形成され、固定体１０には突起３２が孔３４の対応位置に形成されている。突起３２を孔３４に挿入することによって、蝶番部材３０は折り畳まれた又は広げられた状態に保持される。
【００６２】
固定体１０には、蝶番部材３０が広げられたときに蝶番部材３０を安定的に保持するための固定溝３３がさらに形成されてもよい。
【００６３】
本発明の第３の実施の形態に係る移動通信端末機用支持装置では、図６に示すように、固定体１０に中央から縁部に伸びるレール溝４０が形成され、支持体２０の一端にはレール溝４０に摺動自在に結合された移動ブロック４２が設けられてもよい。
【００６４】
移動ブロック４２がレール溝４０に沿って移動するように支持体２０が固定体１０に固定されると、固定体１０が端末機１の本体２に結合されていると共に本体２が水平に伸びたとしても、支持体２０を効果的に用いることができる。
【００６５】
レール溝４０の一端には、移動ブロック４２が９０°回転し得るように回転溝４１が形成される。
【００６６】
本発明の第４の実施の形態に係る移動通信端末機用支持装置では、図７に示すように、固定体１０には、レール溝４０が固定体１０の中央部に一方の縁部から他方の縁部まで幅方向に伸びており、支持体２０の一端には、レール溝４０に摺動自在に結合された移動ブロック４２が設けられている。
【００６７】
レール溝４０が固定体１０の中央に長く形成されていると、支持体２０の長さをレール溝４０の長さだけ短縮させることが可能である。
【００６８】
これにより、支持体２０の全体長さを減少させることができ、支持体２０を小型化させることができる。
【００６９】
支持体２０の保管時又は使用時に支持力を確保して安定して固定するために、レール溝４０の両端には、移動ブロック４２が９０°回転することができるように、移動ブロック４２の両端に沿って回転溝４１が形成される。
【００７０】
さらに、本発明の第５の実施の形態に係る移動通信端末機用支持装置は、図８に示すように、支持体２０は、固定体１０に固定された軸部と、この軸部から伸びる２つの脚部とを含む。
【００７１】
２つの脚部２４は、蝶番ピン２５によって支持体２０の軸部に回転自在に結合されている。
【００７２】
２つの脚部２４は、少なくとも２段に伸びるように構成することができる。
【００７３】
また、支持体２０が固定体１０に固定された２つの脚部を含むときは、支持体の軸部の各々から伸びる２つの脚部２４を備えることができる。
【００７４】
支持体２０は、支持体２０の長さが可変となるように多段折畳み式に形成されてもよい。
【００７５】
次に、本発明に係る移動通信端末機用支持装置の使用方法について説明する。
【００７６】
まず、端末機１の本体２に前記固定体１０を結合させる。
【００７７】
次いで、端末機１を用いて通話（音声通話や画像通話）又は映像視聴をしようとする場合には入力ボタン３を押して通信を試みて、通話又は映像視聴が可能な状態になれば、使用者はネックレス８を首にかけて支持体２０を長く伸ばして、次いで、支持体２０の軸部の他端が使用者の胸又は腹部に接するように本体２及び蓋４をたて、本体２及び蓋４が安定的に保持されるようにするネックレス８の位置を調節する（図３参照）。
【００７８】
このような状態で、使用者は、使用者の目と表示部５の間の距離が適切な視聴距離（ほぼ３０〜５０ｃｍ）を維持するようにネックレス８の長さ及び／又は支持体２０の長さを調整して、通話や映像視聴を行う。
【００７９】
通話又は映像視聴が上記のように行われると、使用者は、本体２及び／又は蓋４を手で持つ必要がないので、使用者はコンピュータ作業や筆記作業など両手を使用する多様な作業を同時に行うことができる。
【００８０】
加えて、本発明の第６の実施の形態に係る移動通信端末機用支持装置では、図９及び図１０に示すように、支持体２０の一端は、本体２に設けられた固定体６０に固定されている。
【００８１】
固定体６０は、ねじ結合又は係合などの方法で本体２に固定され、固定体６０には、支持体２０が挿入されるための孔（図示せず）が形成される。
【００８２】
また、本発明の第７の実施の形態に係る移動通信端末機用支持装置では、図１１及び図１２に示すように、第６の実施の形態において、支持体２０が安定的に保持され且つ揺れが防止されるように、支持体２０の軸部に結合された補助固定部６９が本体２に固定されている。
【００８３】
補助固定部６９は、支持体２０の軸部の一部が着脱式に挿入され切り欠き円形溝を有する。
【００８４】
また、本発明の第８の実施の形態に係る移動通信端末機用支持装置では、図１３に示すように、２つの支持体２０の各端は、固定体７０を用いて本体２に夫々固定されている。
【００８５】
例えば、支持体２０は、本体２の両側に平行に設けられてもよい。
【００８６】
支持体２０が本体２の両側に平行に設けられている場合は、支持体２０間の間隔が狭く、端末機１は安定的に支持されない場合がある。
【００８７】
したがって、支持体２０の各一端は、固定体７０を用いて本体２に回転自在に固定されるのが望ましい。この場合には、図６において一点鎖線で示すように、支持体２０は、本体２を安定的に支持することができるように、互いに広がる方向に回転され、且つ互いに広がる。
【００８８】
支持体２０の回転角度を調整するための補助固定部（図示せず）を本体２に設けてもよい。
【００８９】
また、本発明の第９の実施の形態に係る移動通信端末機用支持装置では、図１４に示すように、多段折り畳み式支持体８０の各端は、固定体７０を用いて本体２に固定され、多段折り畳み式支持体８０の各々は、支持体８０の長さが可変となるように複数のロッドを含む。
【００９０】
多段折畳み式支持体８０が形成される場合には、隣接するロッドは、支持体８０が伸びることができるように互いに蝶番結合している。
【００９１】
支持体８０の各ロッドには、図１４に一点鎖線で示すように、広げられた隣接するロッドを保持する固定突起８６を形成するのが望ましい。
【００９２】
また、本発明の第１０の実施の形態に係る移動通信端末機用支持装置では、図１５に示すように、固定体９０を磁力などによって本体２に取り付けられており、支持体２０は固定体９０に固定されている。
【００９３】
固定体９０は、本体２に密着されるように板状である。
【００９４】
固定体９０と本体２の間の脱着は、磁石ばかりでなく、ベルクロ方式又は両面接着テープを用いて行われてもよい。
【００９５】
代案として、固定体９０と本体２の間の脱着は、溝と突起（例えば、スナップ締め具）を用いた固定方式を使用して行われてもよい。
【００９６】
例えば、磁石は、固定体９０と本体２のいずれか一方に磁石が設けられ、他方に磁性体が設けられている。代案として、固定体９０と本体２のいずれか一方に雄ベルクロが設けられ、他方に雌ベルクロが設けられている。
【００９７】
本発明に係る移動通信端末機用支持装置によれば、使用者がネックレスを首にかけて支持体の長さを長く変更して、支持体の端部を使用者の胸や腹部に位置させるので、移動通信端末機が３点支持又は４点支持に安定的に支持され且つ使用者が端末機を手で持たない状態でも長時間通話（音声通話若しくは画像通話）又は映像視聴を行うことができ、揺れを最少化することができる。
【００９８】
さらに、指などを自由に使用できない人もまた、移動通信端末機を用いた通話（音声通話若しくは画像通話）又は映像視聴を行うことができる。
【００９９】
本発明の例示的な実施の形態及び好ましい実施の形態について説明したが、本発明はこれらの実施の形態又は実施例に限定されるものではなく、特許請求の範囲、発明の詳細な説明、及び添付図面の範囲内で多様に修正してもよく、それらの修正もまた本発明の範囲に属することは当然である。
【図面の簡単な説明】
【０１００】
【図１】本発明の第１の実施の形態に係る移動通信端末機用支持装置の斜視図である。
【図２】本発明の第１の実施の形態に係る移動通信端末機用支持装置の背面図である。
【図３】本発明の第１の実施の形態に係る移動通信端末機用支持装置を用いて端末機を支持した状態で画像通話や映像視聴を行う状態を示す斜視図である。
【図４】本発明の第１の実施の形態に係る移動通信端末機用支持装置における固定体の他の実施例の部分拡大斜視図である。
【図５】本発明の第２の実施の形態に係る移動通信端末機用支持装置の背面図である。
【図６】本発明の第３の実施の形態に係る移動通信端末機用支持装置の背面図である。
【図７】本発明の第４の実施の形態に係る移動通信端末機用支持装置の背面図である。
【図８】本発明の第５の実施の形態に係る移動通信端末機用支持装置の背面図である。
【図９】本発明の第６の実施の形態に係る移動通信端末機用支持装置の背面斜視図である。
【図１０】本発明の第６の実施の形態に係る移動通信端末機用支持装置において支持体を延長した状態を示す背面斜視図である。
【図１１】本発明の第７の実施の形態に係る移動通信端末機用支持装置の背面図である。
【図１２】図１１の線Ａ−Ａに沿う断面図である。
【図１３】本発明の第８の実施の形態に係る移動通信端末機用支持装置の背面図である。
【図１４】本発明の第９の実施の形態に係る移動通信端末機用支持装置の背面図である。
【図１５】本発明の第１０の実施の形態に係る移動通信端末機用支持装置の背面斜視図である。
【符号の説明】
【０１０１】
１  端末機
２  端末機の本体
３  入力ボタン
４  蓋
５  表示部
６  充電用又はデータ入出力用ポート
７  溝
８  ネックレス
１０、９０  固定体
１２  壁部
１４，１６，８６  固定突起
１５  結合突起
１８，６０，７０  固定部
１９，６９  補助固定部
２０  支持体
２２  接地パッド
２４  脚部材
２５  蝶番ピン
３０  蝶番部材
３２  突起
３３  固定溝
３４  孔
４０  レール溝
４１  回転溝
４２  移動ブロック
８０  多段折り畳み式支持体
【図１】
2008505584.tif 000002
【図２】
2008505584.tif 000003
【図３】
2008505584.tif 000004
【図４】
2008505584.tif 000005
【図５】
2008505584.tif 000006
【図６】
2008505584.tif 000007
【図７】
2008505584.tif 000008
【図８】
2008505584.tif 000009
【図９】
2008505584.tif 000010
【図１０】
2008505584.tif 000011
【図１１】
2008505584.tif 000012
【図１２】
2008505584.tif 000013
【図１３】
2008505584.tif 000014
【図１４】
2008505584.tif 000015
【図１５】
2008505584.tif 000016